(57)【要約】      （修正有）【課題】巻きとり発条が劣化してシャッターの上昇が困難となった欠点を解決する。【解決手段】基礎固定板（１）に上下移動案内管Ｃ溝（２）を垂直に固着（１１）、上下移動管（３）に、伝達板．踏み込み板（４．５）を固着（１２）、上下移動管（３）を、上下移動案内管Ｃ溝（２）の内側に挿入、その内側、上下移動管（３）の内側に、発条（６）を挿入、発条（６）の一端を上下移動案内管Ｃ溝（２）の固着箇所（７）に固着、もう一端の発条（６）を、上下移動管（３）の固着箇所（８）に固着、上下移動案内管Ｃ溝（２）側面に制止装置（９）を固着箇所（１８）に固着、発条（１０）を（１３．１４）箇所に固着、くい込み穴（１５）を設け、上下移動管（３）に斜型（１６）を形成して、くい込み爪（１７）を設ける。【選択図】図３
0003121590.tif 000002
【実用新案登録請求の範囲】
１．基礎固定判（１）に上下移動案内管（２）を垂直に接合固着（１１）上下移動案内管（２）の内側に、上下移動管（３）を挿入して、シャッタ−上昇用発条（６）を上下移動管（３）の内側に挿入する、シャッタ−上昇用発条（６）の一端を上下移動案内管（２）の固着箇所（７）、に固着、シャッタ−上昇用発条（６）のもう一端を、上下移動管（３）の固着箇所（８）に固着、制止装置（９）を、上下移動案内管（２）の側面固着箇所（１８）に固着、制止装置（９）作動用発条（１０）の一端を上下移動案内管（２）の側面固着箇所（１３）に固着、制止装置（９）作動用発条（１０）のもう一端を制止装置（９）の固着箇所（１４）に固着、伝達板及び踏み込み板（４．５）を上下移動管（３）の接合固着箇所（１２）に固着、上下移動案内管（２）の側面に制止用くい込み爪（１７）の、くい込み穴（１５）を設ける、上下移動管（３）に制止装置（９）のくい込み爪（１７）の跳ね上げ斜形（１６）の形状体形成。
以上本考案らくらくシャッタ−上昇装置の構成である。
【考案の詳細な説明】
【考案の詳細な説明】
この考案は、シャッタ−の巻き取り発条の劣化により、シャッタ−の上昇が困難となった重いシャッタ−の補助力として活用し、らくらくシャッタ−の上昇を可能とする考案であります、
シャッタ−の構成は、巻き取り発条にて、新設当座は楽に上昇できる調整に構成されています、シャッタ−は通常防犯のため閉じる時間帯が長く、この閉じる時間帯に巻き取り発条が劣化するため、手動シャッタ−の上昇が困難となる、この困難を解決したのが本考案です、本考案は、巻き取り発条の劣化を測定し、何キロの重量が付加となっているか測定をして、個々に図面でしめす、シャッタ−上昇用発条（６）の強弱を用いて、劣化した巻き取り発条にあわせて上昇させる構成である、
らくらくシャッタ−上昇装置の構成を説明する、図面図１基礎固定板（１）に上下移動案内管（２）通称これはＣ溝型である、この上下移動案内管（２）を垂直に接合固着（１１）、垂直に固着した上下移動案内管（２）の内部に上下移動管（３）を挿入して、その上下移動管（３）の内部にシャッタ−上昇用発条（６）を挿入する、その発条（６）の一端を上下移動案内管（２）の固着箇所（７）に固着、発条（６）のもう一端を、上下移動管（３）の固着箇所（８）に固着する、制止装置（９）を上下移動案内管（２）に固着（１８）する、上下移動管（３）に、伝達板及び踏込み板（４．５）を固着箇所（１２）に固着する、制止用発条（１０）の一端を、上下移動案内管（２）側面の固着箇所（１３）に固着、制止用発条（１０）のもう一端を制止装置（９）の固着箇所（１４）に固着、上下移動案内管（２）に制止用くい込み爪（１７）のくい込み穴（１５）を設ける、上下移動管（３）に、制止用くい込み爪（１７）を跳ね上げるため、跳ね上げ斜形（１６）を形成する、くい込み爪（１７）は、伝達板．踏み込み板（４．５）を、実地耐用、図３踏み込んだ状態、基礎固定判（１）まで押し下げた時点にて、くい込み爪は（１７）は、上下移動案内管（２）のくい込み穴（１５）にくい込み、上下移動管（３）は制止されます、実地耐用、本考案の効果を説明する、伝達板，踏み込み板（４，５）を、体重及び、足の筋力を使用して、図３基礎固定板（１）まで押し下げ、この状態で，シャッタ−伝達板（４）をシャッタ−の下に差し込み、制止装置（９）を解除する、この時シャッタ−上昇用発条（６）が元の形態に戻る力が発生する、この戻る反発力を利用してシャッタ−を上昇させるものです、以上本考案は、らくらくシャッタ−上昇を可能とした装置の説明であります。
【図面の簡単な説明】図１は、本考案の平面図である、図２は、本考案の側面図である、図３は、本考案の断面図である、
１は、基礎固定判  ２は、上下移動案内管Ｃ溝  ３は、上下移動管  ４，５は、伝達板，踏み込み板  ６は、発条  ７は、固着箇所  ８は、固着箇所  ９は、制止装置  １０は、発条、１１は、固着箇所  １２は、固着箇所  １３は、固着箇所  １４は、固着箇所  １５は、くい込み穴  １６は、跳ね上げ斜形  １７は、くい込み爪  １８は、固着箇所
【図１】
0003121590.tif 000003
【図２】
0003121590.tif 000004
【図３】
0003121590.tif 000005
【手続補正書】
【提出日】平成17年6月2日(2005.6.2)
【手続補正２】
【補正対象書類名】実用新案登録請求の範囲
【補正対象項目名】請求項１
【補正方法】変更
【補正の内容】
【請求項１】
シャッター上昇装置において、
（１）  基礎固定板（１）（１）に上下移動案内管Ｃ溝（２）を垂直に接合固着、上下移動管（３）と、伝達板．踏み込み板（４．５）を一体に固着（１２）した、らくらくシャッター上昇装置
（２）  発条（６）の一端を、上下移動案内管Ｃ溝（２）の固着箇所（７）に固着、もう一端発条（６）を上下移動管（３）の、固着箇所（８）に固着した第１項記載らくらくシャッー上昇装置
（３）  制止装置（９）を、上下移動案内管Ｃ溝（２）の側面固着箇所（１８）に固着、くい込み爪（１７）及び、くい込み穴（１５）を形成、以上の構成からなる第１項記載らくらくシャッター上昇装置
【手続補正書】
【提出日】平成17年10月10日(2005.10.10)
【手続補正１】
【補正対象書類名】実用新案登録請求の範囲
【補正対象項目名】全文
【補正方法】変更
【補正の内容】
【実用新案登録請求の範囲】
【請求項１】
シャッタ−上昇装置において、
１  基礎固定板（１）に、上下移動案内管Ｃ溝（２）を垂直に接合固着（３）、上下移動管（４）と、伝達板．踏み台（５．６）を、一体に固着（７）したことを特徴とした、らくらくシャッタ−上昇装置。
２  発条（８）の一端を、上下移動案内管Ｃ溝（２）に固着（９）、もう一端の発条（８）を、上下移動管（４）に固着（１０）したことを特徴とした、らくらくシャッタ−上昇装置。
３  制止装置本体（１１）を、上下移動案内管Ｃ溝（２）の側面に固着（１２）、くい込み爪（１６）及び、くい込み穴（１７）を設け、上下移動管（４）の一方に、斜型（１８）を形成する、以上の１．２．３．の要素をそないて一体に構成した、
１項記載、らくらくシャッタ−上昇装置。
【手続補正書】
【提出日】平成17年10月10日(2005.10.10)
【手続補正１】
【補正対象書類名】明細書
【補正対象項目名】全文
【補正方法】変更
【補正の内容】
【考案の詳細な説明】
【考案の詳細な説明】
この考案は、手動式シャツターの巻き取り発条の劣化により、シャッター上昇が困難となった、シャッター上昇の補助力として、らくらくシャッター上昇を可能した考案です、らくらくシャッター上昇装置の、その構成を説明する、図面  図１、基礎固定板（１）に、上下移動案内管Ｃ溝（２）を、基礎固定板（１）に垂直に接合固着（（３）、上下移動管（４）に、伝達板踏み台（５．６）を固着（７）して、上下移動案内管Ｃ溝（２）の内側に挿入する、挿入した上下移動管（４）の内側に、発条（８）を挿入する、発条（８）の一端を、上下移動案内管Ｃ溝（２）に固着（９）、発条（８）のもう一端を、上下移動管（４）に固着（１０）、制止装置本体（１１）を、上下移動案内管Ｃ溝（２）の側面に固着（１２）、制止用発条（１３）の一端を、上下移動案内管Ｃ溝（２）の側面に固着（１４）、もう一端の発条（１３）を、制止装置本体（１１）に固着（１５）、制止装置本体（１１）の制止用くい込み爪（１６）の、くい込み穴（１７）を、上下移動案内管Ｃ溝（２）の側面に設ける（１７）、制止用本体（１１）のくい込み爪（１６）を跳ね上げるため、上下移動管（４）に斜形態（１８）を形成する。
以上にて、らくらくシャッター上昇装置の構成の説明である。
【図面の簡単な説明】
【図１】は、本考案の平面図である。
【図２】は、本考案の側面図である。
【図３】は、本考案の断面図である。
【符号の説明】
１は、基礎固定板、２は、上下移案内管Ｃ溝、３は、固着箇所、４は、上下移動管、５．６は、伝達板．踏み台、７は、固着箇所、８は、発条、９は、固着箇所、１０は、固着箇所、１１は、制止装置本体、１２は、固着箇所、１３は、発条、１４は、固着箇所、１５は、固着箇所、１６は、制止用くい込み爪、１７は、くい込み穴、１８は、跳ね上げ用斜型、
【手続補正２】
【補正対象書類名】図面
【補正対象項目名】全図
【補正方法】変更
【補正の内容】
【図１】
0003121590.tif 000006
【図２】
0003121590.tif 000007
【図３】
0003121590.tif 000008
【手続補正書】
【提出日】平成17年10月11日(2005.10.11)
【手続補正１】
【補正対象書類名】明細書
【補正対象項目名】全文
【補正方法】変更
【補正の内容】
【考案の詳細な説明】
【考案の詳細な説明】
この考案は、手動式シャッタ−の巻き取り発条の劣化により、シャッタ−上昇が困難となった、シャッタ−上昇の補助力として、らくらくシャッタ−の上昇を、可能としたものである。。
らくらくシャッタ−上昇装置の、その構成を説明する、〔図面〕選択図、図３、基礎固定板（１）に、上下移動案内管Ｃ溝（２）を、基礎固定板（１）に垂直に接合固着（３）、上下移動管（４）に、伝達板．踏み台（５．６）を固着（７）して、上下移動案内管Ｃ溝（２）の内側に挿入する、挿入した上下移動管（４）の内側に、発条（８）を挿入する、発条（８）の一端を、上下移動案内管Ｃ溝（２）に固着（９）、発条（８）のもう一端を、上下移動管（４）に固着（１０）、制止装置本体（１１）を、上下移動案内管Ｃ溝（２）の側面に固着（１２）、制止用発条（１３）の一端を、上下移動案内管Ｃ溝（２）の側面に固着（１４）、もう一端の発条（１３）を、制止装置本体（１１）に固着（１５）、制止装置本体（１１）の制止用くい込み爪（１６）の、くい込み穴（１７）を、上下移動案内管Ｃ溝（２）の側面に設ける（１７）、制止用本体（１１）のくい込み爪（１６）を跳ね上げるため、上下移動管（４）に斜形態（１８）を形成する。
以上、らくらくシャッタ−上昇装置の、構成の説明である。
【図面の簡単な説明】
【図１】は、本考案の平面図である。
【図２】は、本考案の側面図である。
【図３】は、本考案の断面図である。
【符号の説明】
１は、基礎固定板、２は、上下移案内管Ｃ溝、３は、固着箇所、４は、上下移動管、５．６は、伝達板．踏み台、７は、固着箇所、８は、発条、９は、固着箇所、１０は、固着箇所、１１は、制止装置本体、１２は、固着箇所、１３は、発条、１４は、固着箇所、１５は、固着箇所、１６は、制止用くい込み爪、１７は、くい込み穴、１８は、跳ね上げ用斜型、
【手続補正書】
【提出日】平成17年10月23日(2005.10.23)
【手続補正１】
【補正対象書類名】実用新案登録請求の範囲
【補正対象項目名】全文
【補正方法】変更
【補正の内容】
【実用新案登録請求の範囲】
【請求項１】
シヤッタ−上昇装置において、
１．基礎固定板（１）に、上下移動案内管Ｃ溝（２）を垂直に接合固着（３）、上下移動管（４）と、伝達板．踏み台（５．６）を、一体に固着（７）、前記上下移動案内管Ｃ溝（２）の内側に挿入構成のらくらくシャッタ−上昇装置、
２．並びに、発条（８）の一端を、上下移動案内管（２）に固着（９）、もう一端の発条（８）を、上下移動管（４）に固着（１０）、上下移動管（４）に斜型態（１８）の形成を基本とする、第１項らくらくシャッタ−上昇装置、
３．続いて、上下移動案内管Ｃ溝（２）の側面に、制止装置本体（１１）を固着（１２）、静止安定を特徴とした実用新案登録請求の範囲第１項記載のらくらくシャッタ−上昇装置。
【手続補正書】
【提出日】平成18年1月18日(2006.1.18)
【手続補正１】
【補正対象書類名】明細書
【補正対象項目名】全文
【補正方法】変更
【補正の内容】
【書類名】明細書【考案の名称】らくらくシャッター上昇装置【考案の詳細な説明】らくらくシャッター上昇装置の構成にかんする説明、本考案は、手動式シャッターの巻き取り発条の劣化により、上昇困難となったシャッターをらくらく上昇できる、考案構成の説明であります、選択図  図３におきまして構成の説明をすると、基礎固定板１に上下移動案内管Ｃ溝２を垂直に接合固着１１する、上下移動管３と、伝達板及び踏み込み板４．５を一体に接合固着１２して、上記構成の、上下移動案内管Ｃ溝２の内側に挿入する、以上構成の上下移動管３内側に、発条６を挿入して、発条６の一端を上下移動案内管Ｃ溝２に固着７し、発条６のもう一端を、上下移動管３に固着８、制止装置本体９を、上下移動案内管Ｃ溝２の側面固着１８し、制止装置本体９に、くい込み爪１７を設け、及び上下移動案内管Ｃ溝２にくい込み穴１５を設け、くい込み爪１７作動用に、発条１０を設け、くい込み爪１７を跳ね上げるため、上下移動管３の一方に斜型１６を形成、以上らくらくシャッター上昇装置本構成の説明である。【図面の簡単な説明】【図１】は本考案の断面図【図２】は本考案の制止装置本体の断面拡大図【図３】は本考案の断面図【符号の説明】１は基礎固定板  ２は上下移動案内管Ｃ溝  ３は上下移動管  ４．５は伝達板及び踏み込み板  ６は発条  ７は固着箇所  ８は固着箇所  ９は制止装置本体  １０は発条  １１は固着箇所  １２は固着箇所  １５はくい込み穴  １６は斜頸  １７はくい込み爪  １８は固着箇所【手続補正２】
【補正対象書類名】図面
【補正対象項目名】全図
【補正方法】変更
【補正の内容】
【図１】
0003121590.tif 000009
【図２】
0003121590.tif 000010
【図３】
0003121590.tif 000011
【手続補正書】
【提出日】平成18年1月18日(2006.1.18)
【手続補正１】
【補正対象書類名】実用新案登録請求の範囲
【補正対象項目名】全文
【補正方法】変更
【補正の内容】
【実用新案登録請求の範囲】
【請求項１】
シヤッタ−上昇装置において、
１．基礎固定板（１）に、上下移動案内管Ｃ溝（２）を垂直に接合固着（１１）し、上下移動管（３）と、伝達板及び踏み込み板（４、５）を、一体に固着（１２）したこと
２．発条（６）の一端を、上下移動案内管Ｃ溝（２）に固着（７）し、発条（６）のもう一端を、上下移動管（３）に固着（８）したこと
３．制止装置本体（９）を、上下移動案内管Ｃ溝（２）の側面固着（１８）し、くい込み爪（１７）及び、くい込み穴（１５）を設け、上下移動管（３）の一方に、斜型（１６）を形成する
以上の１．２．３．の要素を備えて一体に構成した、らくらくシヤッタ−上昇装置。